【事件の表示】
　特許第３２９４９７９号「光ファイバの偏波面方向を指示する角度インデックスを備える光ファイバフェルール組立体」の請求項１，２に係る特許に対する特許異議の申立てについて、次のとおり決定する。
【結　論】
　訂正を認める。
　特許第３２９４９７９号の請求項１，２に係る特許を維持する。
【理　由】
１．手続の経緯
本件特許第３２９４９７９号に係る主な手続の経緯は以下のとおりである。
特許出願　　　　 　平成　７年　９月１４日
特許権設定登録　 　平成１４年　４月　５日
公報発行日 　　　　平成１４年　６月２４日
異議の申立て　　　 平成１４年１２月２３日
訂正請求　　　　　 平成１５年　６月２０日
　　      
２．訂正の適否についての判断
２−１．訂正事項
ａ．特許請求の範囲の請求項１の末尾の「組立体。」を「組立体において、前記角度インデックス部材は、外周に一対のインデックス溝をもち、前記フランジボディ側に固定用の窪みを設けて構成した光ファイバの偏波面方向を指示する角度インデックスを備える光ファイバフェルール組立体。」と訂正する
ｂ．特許請求の範囲の請求項３を削除する。
ｃ．発明の詳細な説明の段落【０００６】１７行「構成されている。」を、「構成した。光ファイバの偏波面方向を指示する角度インデックスを備える光ファイバフェルール組立体において、角度インデックス部材は、外周に一対のインデックス溝をもち、前記フランジボディ側に固定用の窪みを設けて構成することができる。」と訂正する。
　　　
２−２．訂正の目的の適否等について
　訂正事項aについて
　訂正事項ａは、「組立体」を「前記角度インデックス部材は、外周に一対のインデックス溝をもち、前記フランジボディ側に固定用の窪みを設けて構成した光ファイバの偏波面方向を指示する角度インデックスを備える光ファイバフェルール組立体」と限定するものであり、これは当初明細書【０００８】段落に記載されている事項であり、特許請求の範囲の減縮に該当し、願書に添付した明細書又は図面に記載した事項の範囲内の訂正であり、実質上特許請求の範囲を拡張し又は変更するものでもない。       
　　　
　訂正事項bについて
　訂正事項ｂは、特許請求の範囲を削除するものであるから、特許請求の範囲の減縮に該当する。
　　　　
　訂正事項cについて
　訂正事項ｃは、上記訂正事項ａの訂正に伴い、特許請求の範囲の記載と発明の詳細な説明の記載との整合を図るためのものであり、明りょうでない記載の釈明に該当し、願書に添付した明細書に記載した事項の範囲内の訂正であり、実質上特許請求の範囲を拡張し又は変更するものでもない。
　　　
２−３．むすび
　以上のとおりであるので、上記訂正請求は、特許法第１２０条の４第２項及び同条第３項において準用する第１２６条第２項及び同条第３項の規定に適合するので訂正を認める。　　
　　　
３．取消理由及び特許異議の申立てについての判断
３−１．本件発明
　訂正された明細書の特許請求の範囲請求項１及び２に記載されている事項により特定される発明（以下「本件発明１」ないし「本件発明２」という。）は、以下のとおりのものである。                
「【請求項１】偏波面保持光ファイバ、前記光ファイバを受け入れその先端面を露出させて保持固定する光ファイバフェルール、前記光ファイバの偏波面に対して一定の角度位置に配置されるべき角度インデックスを有する角度インデックス部材とを含み、前記光ファイバフェルールに前記光ファイバを固定し、前記フェルールの基部を前記光ファイバの被覆部分を受け入れるフランジボディに固定して光ファイバフェルール仮組立体を形成し、前記角度インデックス部材に光ファイバフェルール仮組立体を結合し、いずれか一方を固定した状態で前記光ファイバの先端面を拡大観察してその形状から前記偏波面方向を決定し、前記角度インデックスが前記偏波面方向に対して一定の角度位置になるように相対的に回転させて固定して構成した光ファイバの偏波面方向を指示する角度インデックスを備える光ファイバフェルール組立体において、前記角度インデックス部材は、外周に一対のインデックス溝をもち、前記フランジボディ側に固定用の窪みを設けて構成した光ファイバの偏波面方向を指示する角度インデックスを備える光ファイバフェルール組立体。    　   
【請求項２】請求項１記載の光ファイバフェルール組立において、前記角度インデックス部材は前記光ファイバフェルールを回転可能に支持した状態で前記角度インデックスを基準にして顕微鏡のステージに固定され、前記顕微鏡で光ファイバ先端の拡大像を観察しながら前記フェルールを回転させて前記拡大像が前記角度インデックス部材のインデックスに対して一定の関係に達したときに前記角度インデックス部材と前記フェルールを接着固定して構成した光ファイバの偏波面方向を指示する角度インデックスを備える光ファイバフェルール組立体。」       
                                    
３−２．取消理由通知及び特許異議申立の概要
　平成１５年４月１１日付取消理由通知は、特許異議申立人今井文よりなされた異議申立と同様であって、その概要は以下のとおりである。
　　　
　本件発明１は、甲１号証と同一であるから、特許法第２９条第１項３号の規定に違反して、或いは、本件発明２は、甲１号証及び甲２号証により当業者が容易に発明をすることができるものであるから、同法第２９条第２項の規定に違反して特許をされたものである。
　　　　　　　　　　　　　　　　　記
甲１号証：特開平５−４５５３３号公報（以下、「刊行物１」という。）
甲２号証：ＵＳＰ５２１６７３３（以下、「刊行物２」という。）　　　　               　　
３−３．引用刊行物に記載された発明
　異議申立人今井文の提示する甲第1号証(特開平５−４５５３３号公報、以下「刊行物１」という。）には、
「【００１３】【課題を解決するための手段】上記の目的を達成するために、この発明の組立工具は、光コネクタプラグにおいて、フェルールに接着固定された偏波保持光ファイバの主軸の向きを、プラグハウジングの向きに合わせ、組立てるために使用する光コネクタプラグの組立工具であって、前記フェルールを固定するフェルール固定部と、このフェルール固定部と同軸上に配置され、フランジをその軸方向に摺動可能に保持するフランジ保持部とからなり、前記フェルール固定部を、その中心部に挿入したフェルールを中心として回動可能に構成したことを特徴とする。
【００１４】また、この発明の光コネクタプラグの組立方法は、偏波保持光ファイバを接着固定したフェルールを、上記組立工具のフェルール固定部に固定すると共に、前記フェルールにフランジを挿入してこれを前記組立工具のフランジ保持部に保持した状態で、前記フェルール固定部を回動させることにより、前記偏波保持光ファイバの主軸の向きと前記フランジの予め定められた向きとの位置合わせを行い、次いで前記フランジ保持部を前記フェルール固定部に固定すると共に、前記フランジをその軸方向に摺動させて、前記フェルールに圧入した後、このフェルールを前記組立工具から取外し、プラグハウジングに組込むことを特徴とする。」
「【００２４】図３に示したように、フェルール１１はジルコニアセラミックで構成された円筒棒からなり、一端側に光コネクタプラグ側へ嵌合する嵌合部１２、他端側にフランジ１４を圧入するステム１３がそれぞれ形成されると共に、前記嵌合部１２には偏波保持光ファイバ素線の外径よりもわずかに大きい内径の微細な貫通孔（図示せず）が形成されている。
【００２５】　図４（ａ）、（ｂ）に示したように、上記フェルール１１のステム１３に圧入されるフランジ１４は、金属製のリングからなり、その内径は上記フェルール１１のステム１３の外径と同等またはそれよりもやや小さく設定されている。また、フランジ１４の周縁には、上記したこの発明の組立工具Ｋにおけるフランジ保持部１のキー３ａ、３ｂと係合するキー溝１５ａ、１５ｂが形成されている。」と記載されている。
「【００２８】まず、偏波保持光ファイバ１６にフェルール１１を接着固定すると共に、フェルール１１の端部を円球状に研磨加工し、このフェルール１１を図４に示したように組立工具Ｋのフェルール固定部２へ挿入して、押さえねじ４ａによって固定する。
【００２９】次いで、図６に示したように、予めその中空部に偏波保持光ファイバ１６を通しておいたフランジ１４のキー溝１５ａ、１５ｂを、組立工具Ｋのフランジ保持部１にあるキー３ａ、３ｂと合わせて係合し、図７に示したように、予め固定してあるフェルール１１の途中までフランジ１４を挿入してから、フランジ保持部１の押さえねじ４ｂによりフランジ１４を保持する。
【００３０】この状態で、図７に示したように偏波保持光ファイバ１６のフェルール１１とは反対側の端面に顕微鏡２１を配置し、この顕微鏡２１によって偏波保持光ファイバ１６の端面を拡大観察する。
【００３１】すなわち、図８（ａ）に示したように、顕微鏡のミクロメータ２２に対し、二つの応力保持部１９がずれている場合には、コア１７を中心としてフェルール固定部２を回動させてクラッド１８を合わせることにより、図８（ｂ）に示したように、前記ミクロメータ２２の向きに前記二つの応力保持部１９が並列するように調整する。
【００３２】しかる後、フランジ保持部１の押さえねじ４ｂによってフェルール固定部２をフランジ保持部１に対して固定し、図９に示したようにフランジ１４をキー溝１５ａ、１５ｂに沿わせて軸方向に摺動させ、押し込むことにより、フェルール１１のステム１３に圧入する。
【００３３】これにより、偏波保持光ファイバ１６の応力固定部１９の向きを、フランジ１４の所定の向き、すなわちプラグハウジングの向きと正確に合わせてなるフランジ１４付きのフェルール１１を容易に得ることができ、次いでこのフェルール１１を前記組立工具Ｋから取外し、このフェルール１１の嵌合部１２を光コネクタプラグのプラグハウジングにプッシュ式に組込むことによって、光コネクタプラグの組立てを高精度かつ容易に完了することができる。」
   
　同じく甲第２号証(ＵＳＰ５２１６７３３、以下「刊行物２」という。)には、
「The ferrule body 103 is provide with a through hole having a diameter slightly larger than the diameter of the fiber,and consists of an insertion part 102 made of a rod shaped unit body of zirconia and a holding part 104 made of metal to fit into the insertion part 102.」（フェルール体１０３は、ファイバの径より僅かに直径が大きい孔が形成され、棒状形状のジルコニア単体から成る挿入部とその挿入部１０２に適合する金属から成る保持部１０４とから構成される。）(５欄１８〜２３行)
「As shown in FIG.7(a),drops of an adhesive liquid 111 are applied to the side surface of the holding part 104 of the ferrule body 103.Then,the liquid 111 is made to drip downward to fill the holding part 104. The air inside the holding part 104 is expelled outward through the air hole 107.Therefore,the abhesive liquid 111 is able to spread through in the holding part 104 uniformly without leaving any air bubbles.」（図７（ａ）に示されるように、接着液１１１の少量がフェルール体１０３の保持部１０４の側面に供給される。そして、その液１１１は保持部１０４を満たすように下方へ滴らせる。保持部１０４内の空気が空気孔１０７を介して外部に押し出される。それ故、接着液１１１は空気泡を残さないで保持部１０４内に均一に広がることができる。）（５欄５０〜５８行）
と記載されている。
　　　　　　
３−４． 本件発明１について
　訂正後の本件発明１は、実質的に、本件特許異議申立の対象でない訂正前の請求項３に対応するものである。
　刊行物１及び２には、それぞれ「偏波面保持光ファイバ、前記光ファイバを受け入れその先端面を露出させて保持固定する光ファイバフェルール、前記光ファイバの偏波面に対して一定の角度位置に配置されるべき角度インデックスを有する角度インデックス部材とを含み、前記光ファイバフェルールに前記光ファイバを固定し、前記フェルールの基部を前記光ファイバの被覆部分を受け入れるフランジボディに固定して光ファイバフェルール仮組立体を形成し、前記角度インデックス部材に光ファイバフェルール仮組立体を結合し、いずれか一方を固定した状態で前記光ファイバの先端面を拡大観察してその形状から前記偏波面方向を決定し、前記角度インデックスが前記偏波面方向に対して一定の角度位置になるように相対的に回転させて固定して構成した光ファイバの偏波面方向を指示する角度インデックスを備える光ファイバフェルール組立体において、前記角度インデックス部材は、外周に一対のインデックス溝を設けて構成した光ファイバの偏波面方向を指示する角度インデックスを備える光ファイバフェルール組立体。」及び「フェルールと保持部（本件発明１のフランジボディに相当）」との事項が把握できるとしても、本件発明１の「角度インデックス部材」の「フランジボディ側に固定用の窪みを設けて構成」するとの技術的事項は、記載されていない。
　そして、本件発明１は、上記技術的事項により、「接着剤を受け入れて角度インデックスを固定する」（明細書【０００８】段落）との効果を奏するものである。
　したがって、本件発明１は、上記刊行物１記載の発明でなく、また、上記刊行物１及び２に記載された発明に基づいて基いて当業者が容易に発明することができたものとすることはできない。
　　　　　
３−５．　本件第２発明について
　本件発明２は、本件発明１を引用して、本件発明１をさらに限定するものであるから、上記３−４と同じ理由により、上記刊行物１記載の発明ではなく、また、上記刊行物１及び２に記載された発明に基いて当業者が容易になし得たものでもない。
　　　　
４．むすび
　以上のとおりであるので、本件特許は、特許異議申立人の提示した理由及び証拠によっては、取り消すことができない。
　　　　
　よって、結論のとおり決定する。
【異議決定日】
平成１５年７月１４日（２００３．７．１４）
【訂正の要旨】
審決（決定）の【理由】欄参照。
（５４）【発明の名称】
光ファイバの偏波面方向を指示する角度インデックスを備える光ファイバフェルール組立体
（５７）【特許請求の範囲】
　【請求項１】　偏波面保持光ファイバ、前記光ファイバを受け入れその先端面を露出させて保持固定する光ファイバフェルール、前記光ファイバの偏波面に対して一定の角度位置に配置されるべき角度インデックスを有する角度インデックス部材とを含み、
　前記光ファイバフェルールに前記光ファイバを固定し、前記フェルールの基部を前記光ファイバの被覆部分を受け入れるフランジボディに固定して光ファイバフェルール仮組立体を形成し、
　前記角度インデックス部材に光ファイバフェルール仮組立体を結合し、いずれか一方を固定した状態で前記光ファイバの先端面を拡大観察してその形状から前記偏波面方向を決定し、前記角度インデックスが前記偏波面方向に対して一定の角度位置になるように相対的に回転させて固定して構成した光ファイバの偏波面方向を指示する角度インデックスを備える光ファイバフェルール組立体において、
　
前記角度インデックス部材は、外周に一対のインデックス溝をもち、前記フランジボディ側に固定用の窪みを設けて構成した光ファイバの偏波面方向を指示する角度インデックスを備える光ファイバフェルール組立体。
　【請求項２】　請求項１記載の光ファイバフェルール組立において、
　前記角度インデックス部材は前記光ファイバフェルールを回転可能に支持した状態で前記角度インデックスを基準にして顕微鏡のステージに固定され、
　前記顕微鏡で光ファイバ先端の拡大像を観察しながら前記フェルールを回転させて前記拡大像が前記角度インデックス部材のインデックスに対して一定の関係に達したときに前記角度インデックス部材と前記フェルールを接着固定して構成した光ファイバの偏波面方向を指示する角度インデックスを備える光ファイバフェルール組立体。
【発明の詳細な説明】
　【０００１】
　【発明の属する技術分野】
　本発明は、ＰＡＮＤＡ光ファイバを用いたファイバ組立体で光ファイバの偏波面方向を指示する角度インデックスを備える光ファイバフェルール組立体に関する。
　【０００２】
　【従来の技術】
　光計測，光通信の分野で光ファイバの偏波面方向を維持して伝送することができる偏波面保持光ファイバが知られている。偏波面保持光ファイバは、偏波の状態が問題とされるコヒーレント通信の分野とか、光機器などの特性が入出力される光の偏波状態に依存する分野などで広く利用されている。
　【０００３】
　偏波面保持光ファイバは複屈折ファイバを利用して実現できる。複屈折ファイバを利用した偏波面保持光ファイバの構造は応力付与型のものとコア形状を楕円のように円から変形させたものの２つに分類される。
現在では、応力付与型のものとしてＰＡＮＤＡファイバ（Ｐｏｌａｒｉｚａｔｉｏｎ−ｍａｉｎｔａｉｎｉｎｇ　ＡＮＤ　Ａｂｓｏｒｐｔｉｏｎ−ｒｅｄｕｃｉｎｇ　Ｆｉｂｅｒ）が用いられているからこの構造を図９を参照して簡単に説明する。このＰＡＮＤＡファイバ１００のクラッド１０２中にある応力付与部材１０３Ａ，１０３Ｂは周囲のシリカガラスに比べて熱膨張率が大きい材質のガラスである。高い温度で線引きされファイバとなって冷えるとき、応力付与部材の収縮が周囲よりも大きいので結果としてコア１０１をＹ方向に引っ張り、それにともなってＸ方向に圧縮応力が発生する。その結果、コア１０１は光弾性効果によって屈折率がＸ方向とＹ方向で異なり、伝搬する偏波モードの伝搬定数に差がつけられる。その他、応力を与える方法によって色々なものが研究されたが、現在ではＰＡＮＤＡ型以外に次の２つのものが実用化されている。応力付与部材が扇型をしているボウタイ型は英国で開発された。また、楕円ジャケット（クラッドの周囲に設ける応力付与部材）型も我が国で開発され実用化されている。コア形状は変形する構造のものが研究されたが、実用化はされていない。
　【０００４】
　このような偏波面保持光ファイバ間の接続、偏波面保持光ファイバと他の機器との接続にあたり相互の偏波面が高い精度で一致させられて接続される必要がある。そのために個別的に調節をして接続する作業が行われている。
結合すべき光ファイバを支持したフェルールの対をスリーブに挿入して、対向させ一方に光源を接続して他方に光パワーメータを接続して接続損失が最小のところを求めて固定する。前記方法は（特開昭６１−２２８４０４）に示されている構成を利用することにより実現できる。
　【０００５】
　【発明が解決しようとする課題】
　前述のように、個々の偏波面の合わせ調整を行わなくても偏波面保持光ファイバのフェルールに対して前記偏波面を指示する正確なインデックスが設けられていれば、そのインデックスを基準にしてフェルールとフェルール、フェルールと光源、およびフェルールと偏光特性をもつ機器等を結合すれば、個々の調整は全く不要となるはずである。
　本発明の目的は、偏波面保持光ファイバフェルールまたはコネクタの組立において偏波面の整列作業を、従来のように組み上がったコネクタの状態で行わず、光ファイバを取り付けたフェルール単体にインデックス部を設けるようにした光ファイバの偏波面方向を指示する角度インデックスを備える光ファイバフェルール組立体を提供することにある。
　【０００６】
　【課題を解決するための手段】
　前記目的を達成するために本発明による光ファイバの偏波面方向を指示する角度インデックスを備える光ファイバフェルール組立体は、
偏波面保持光ファイバ、前記光ファイバを受け入れその先端面を露出させて保持固定する光ファイバフェルール、前記光ファイバの偏波面に対して一定の角度位置に配置されるべき角度インデックスを有する角度インデックス部材とを含み、
　前記光ファイバフェルールに前記光ファイバを固定し、前記フェルールの基部を前記光ファイバの被覆部分を受け入れるフランジボディに固定して光ファイバフェルール仮組立体を形成し、
　前記角度インデックス部材に光ファイバフェルール仮組立体を結合し、いずれか一方を固定した状態で前記光ファイバの先端面を拡大観察してその形状から前記偏波面方向を決定し、前記角度インデックスが前記偏波面方向に対して一定の角度位置になるように相対的に回転させて固定して構成
した光ファイバの偏波面方向を指示する角度インデックスを備える光ファイバフェルール組立体において、
　
前記角度インデックス部材は、外周に一対のインデックス溝をもち、前記フランジボディ側に固定用の窪みを設けて構成することができる。
　前記光ファイバフェルール組立において、
　前記角度インデックス部材は前記光ファイバフェルールを回転可能に支持した状態で前記角度インデックスを基準にして顕微鏡のステージに固定され、
　前記顕微鏡で光ファイバ先端の拡大像を観察しながら前記フェルールを回転させて前記拡大像が前記角度インデックス部材のインデックスに対して一定の関係に達したときに前記角度インデックス部材と前記フェルールを接着固定して構成することができる。
　【０００７】
　【発明の実施の形態】
　以下図面等を参照して本発明による光ファイバの偏波面方向を指示する角度インデックスを備える光ファイバフェルール組立体をさらに詳しく説明する。
図１は本発明による光ファイバの偏波面方向を指示する角度インデックスを備える光ファイバフェルール組立体の調整工程を説明するための展開的斜視図である。図２は光ファイバ組立の実施例を示す断面図である。偏波面保持光ファイバの被覆を除去して、光ファイバの心線５を光ファイバフェルール１に挿入して糊付け固定する。このとき光ファイバの先端がフェルールの端面と同一面またはやや突出した位置にあり、表面によごれや傷がない光学的な滑らかな面としておく。このときフェルール１に対する光ファイバ５の角度位置関係は全く問題にならない。鍔３１を持つフランジボデイ３に光ファイバの被覆部４を挿入固定した状態で光ファイバ５をフェルール１の中心孔に挿入固定するとともにフランジボデイ３とフェルール１の基部も接着材で接着固定しておく。
　【０００８】
　図３は前記実施例の角度インデックス部材の実施例を示す断面図、図４は前記実施例の角度インデックス部材の底面図である。角度インデックス部材２の中心孔２１は前記フェルール１の外周に嵌合してフェルール１の中心軸周りに回転可能になっている。角度インデックス部材２の外周にはインデックス溝２３，２４が設けられており、底面側には接着材を受け入れて角度インデックス部材２をフランジボデイ３に固定するための窪み２２が設けられている。角度インデックス部材２を仮にフェルール１に嵌合し、摩擦で一体化した仮組立の状態を形成しておく。
　【０００９】
　図１に示されているように対物レンズ１０をもつ顕微鏡のステージ側のアーム６，７に、治具９が固定されている。この治具９と前記顕微鏡の対物レンズ１０との間では２次元相対移動および回転が可能であり、後述するように前記光ファイバフェルールを支持してその光ファイバ端面の中心を前記対物レンズ１０の光軸の焦点位置にもたらすことができる。治具９の詳細を図５〜図７に示す。
図５は、本発明による光ファイバの偏波面方向を指示する角度インデックスを備える光ファイバフェルール組立体を組み立てる工程において使用する治具９の断面図、図６は前記治具の底面図、図７は前記治具の側面図である。
治具９はねじ孔９４，９５を有し、図１に示すようにねじ８Ａ，８Ｂで顕微鏡のステージ側のアーム６，７に固定されており、治具９の中心に前記仮組立の状態でフェルール１を受け入れる。
また治具９の底面には突起９２，９３が設けられており、前記突起の幅は前記仮組立フェルールの角度インデックス部材２の外周のインデックス溝２３，２４に対応する幅であり、この溝２３，２４と係合して前記角度インデックス部材２を摩擦で支持するとともにその回転を制限している。
　【００１０】
　図８は顕微鏡の視野の例を示す説明図である。顕微鏡視野中において前記治具９の基準面９６または９７が顕微鏡視野中の十字線のＸ軸に一致するようにステージを回転移動する（図８（Ｉ））。その状態からステージを移動させて治具の中央部の光ファイバ１００の中心が十字線の原点に近づくように調整する。図８（ＩＩ）に光ファイバ１００の中心がほぼ十字線の中心に近づけられた状態を示している。この実施例では顕微鏡の倍率を５００倍にしている。光ファイバの先端を拡大し適当な照明が行われると、光ファイバのクラッド１０２中の応力付与部材１０３Ａ，１０３Ｂはクラッドとは光学的特性が異なるのでその輪郭が現れる。この輪郭を参照して顕微鏡のステージの移動と前述した仮組立フェルールのフェルールを回転させることにより応力付与部材１０３Ａおよび１０３Ｂの並びが十字線のＹ軸上に平行になるように調節する。合致したところでフランジボディ３とフランジＡ（角度インデックス部材）２間に瞬間接着剤を注射器で固定代２２に注入して、フランジＡ（角度インデックス部材）２をフランジボディ３に固定する。その後、必要に応じてフランジＡの溝９２，９３を基準にして端面研磨を行う。
このようにして製造されたフェルール組立体を用いてＳＣ型コネクタ，ＦＣ型コネクタを組み立てることができる。その組立の手順はフランジＡの溝９２，９３を基準とし、従来の通りである。
　【００１１】
　【発明の効果】
　本発明による光ファイバフェルール組立体は偏波面を示す溝等のインデックスが設けられているから、ＳＣコネクタのように組立後ねじによる回転調芯不可能なコネクタの場合でも、フェルール単体での整列ができ調整は不要である。
光ファイバ先端を傾斜研磨して反射戻り損失を小さくするような場合、傾斜の方向と偏波面は一定の関係を保つ必要がある。そのような場合、フェルール組立体のインデックスを基準にして単体での斜め研磨が容易にできる。
（変形例）
　以上詳しく説明した実施例について、本発明の範囲内で種々の変形を施すことができる。
前記フェルールは組立の工程で顕微鏡を用い、作業者が光ファイバ端面の像を目で観察して調整する例を示したが、フェルールを固定し、ファイバ端面の顕微鏡の像をＣＣＤの上に結像させ、画像処理により２つの応力付与部材を結ぶ中心線の角度を特定し、その位置情報に基づいてステージを自動的に回転移動させ図８（ＩＩＩ）の状態を自動的に形成することができる。インデックスの形状の例として溝の例を示したが、突起部であっても良く刻印するとか筋をつける等の変形でも後の基準となり得るものであれば良い。
【図面の簡単な説明】
　【図１】
　本発明による光ファイバの偏波面方向を指示する角度インデックスを備える光ファイバフェルール組立体の調整工程を説明するための展開的斜視図である。
　【図２】
　本発明による光ファイバの偏波面方向を指示する角度インデックスを備える光ファイバフェルール組立体の実施例の断面図である。
　【図３】
　前記実施例の角度インデックス部材の実施例を示す断面図である。
　【図４】
　前記実施例の角度インデックス部材の底面図である。
　【図５】
　本発明による光ファイバの偏波面方向を指示する角度インデックスを備える光ファイバフェルール組立体を組み立てる工程において使用する治具の断面図である。
　【図６】
　前記治具の底面図である。
　【図７】
　前記治具の側面図である。
　【図８】
　前記調整工程を説明するための顕微鏡視野と拡大された光ファイバの先端を示す略図である。
　【図９】
　ＰＡＮＤＡ型の光ファイバの原理を説明するための略図である。
　【符号の説明】
　１　フェルール
　２　フランジＡ（角度インデックス部材）
　３　フランジボディ
　４　光ファイバの被覆部
　５　偏波面保持光ファイバの心線
　６，７　顕微鏡のステージのアーム
　８Ａ，８Ｂ　治具取り付けねじ
　９　治具
　１０　顕微鏡の対物レンズ
　２１　フランジＡの中心孔
　２２　フランジＡの糊付け固定代
　２３，２４　フランジＡの溝（インデックス溝）
　３１　鍔
　９１　治具の中心孔
　９２，９３　治具の結合突起
　９４，９５　治具のねじ孔
　９６，９７　治具の基準面
　１００　ＰＡＮＤＡファイバ
　１０１　光ファイバのコア
　１０２　光ファイバのクラッド
　１０３Ａ，１０３Ｂ　光ファイバの応力付与部材